(57)【要約】      （修正有）【課題】陰茎の生理機能を回復できる充／排気装置を提供する。【解決手段】充／排気装置は、検知ユニット１とエア供給ユニット２とがある。エア供給ユニット２は、充気モジュール２１と嚢本体２２とを有し、充気モジュール２１が、嚢本体２２に連通され、充気モジュール２１が、検知ユニット１に電気接続され、嚢本体２２に、放置区域２２１がある。これにより、使用者が陰茎を嚢本体２２に設置すると、検知ユニット１が、使用者の心拍に合わせて、充気モジュール２１を駆動し、充気モジュール２１で、嚢本体２２に対して、持続的に、充気と排気の作動を行い、嚢本体２２で陰茎をマッサージし、使用者自身の血液で陰茎に加圧して、陰茎の末梢血管が流暢になり、陰茎の生理機能を回復させる。【選択図】図１
0003229619.tif 000002
【実用新案登録請求の範囲】
【請求項１】
検知ユニットと、
嚢本体と、当該嚢本体に連通される充気モジュールと、があり、当該充気モジュールが当該検知ユニットに電気接続され、当該嚢本体に、放置区域が設けられる、エア供給ユニットと、
が含まれる、ことを特徴とする充／排気装置。
【請求項２】
当該検知ユニットは、心拍センサーを有するスマートウォッチまたはスマートブレスレットである、ことを特徴とする請求項１に記載される充／排気装置。
【請求項３】
当該充気モジュールは、ポンプと受信器を有し、当該ポンプが当該嚢本体に連通されて、当該受信器が、有線か無線方式によって当該検知ユニットに電気接続される、ことを特徴とする請求項１に記載される充／排気装置。
【請求項４】
当該嚢本体は、柔らかいプラスチック材料である、ことを特徴とする請求項１に記載される充／排気装置。
【請求項５】
当該エア供給ユニットは、更にキャリアを有し、当該嚢本体が、当該キャリアの中に設置される、ことを特徴とする請求項１に記載される充／排気装置。
【請求項６】
当該嚢本体は、一分間に、10〜160回の充／排気を行う、ことを特徴とする請求項１に記載される充／排気装置。
【考案の詳細な説明】
【技術分野】
【０００１】
本考案は、充／排気装置に関し、特に、使用者が自身の血液で陰茎に加圧して、陰茎の生理機能を回復できる充／排気装置に関する。
【背景技術】
【０００２】
体の器官は、血管を利用して血流をスムーズに流すことにより、正常運行を維持し、また、血管は、例えば、脳や心臓、肝臓、皮膚及び四肢等の人体器官や組織の深い処に位置する。血管が、血液や血球及び各種類のホルモンの運行通路を提供することにより、神経や筋肉及び骨等の組織に対して、十分の血液や養分を供給して、人体器官の正常運行を維持する。
【０００３】
しかしながら、正常の血管は、分岐数が多く、変形しなくて、流速がスムーズ的であるが、変形や病気によって閉塞されると、末梢に、血液循環が悪くなり、四肢が冷たくなるだけでなく、体に、多い不適な病状が発生し、男性の場合、末梢に血液循環不良が発生すると、容易に、陰茎の充血が不足になって、早漏や陰萎等の性機能障害を起こす。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、充／排気装置を提供し、使用者が、陰茎を嚢本体に放置して、検知ユニットが、使用者の心拍に合わせて、充気モジュールを駆動し、充気モジュールで、嚢本体に対して、持続的に、充気や排気の作動を行うことにより、嚢本体で陰茎をマッサージするため、使用者が、自身の血液で、陰茎に対して加圧して、陰茎の末梢血管が流暢になり、陰茎の生理機能を回復できる。
【課題を解決するための手段】
【０００６】
本考案は、上記の目的を達成するため、充／排気装置を提供し、検知ユニットとエア供給ユニットとがある。当該エア供給ユニットは、充気モジュールと嚢本体とがあり、当該充気モジュールが当該嚢本体に連通され、また、当該充気モジュールが、当該検知ユニットに電気接続され、そして、当該嚢本体に放置区域が設けられる。
【０００７】
上記の充／排気装置において、当該検知ユニットは、心拍センサーを有するスマートウォッチやスマートブレスレットである。
【０００８】
上記の充／排気装置において、当該充気モジュールは、ポンプと受信器を有し、当該ポンプが、当該嚢本体に連通され、当該受信器が、有線か無線方式によって、当該検知ユニットに電気接続される。
【０００９】
上記の充／排気装置において、当該嚢本体は、柔らかいプラスチック材料である。
【００１０】
上記の充／排気装置において、当該エア供給ユニットは、更にキャリアを有し、当該嚢本体が、当該キャリアの中に設置される。
【００１１】
以下、図面を参照しながら、本考案の特徴や技術内容について、詳しく説明するが、それらの図面等は、参考や説明のためであり、本考案は、それによって制限されることが無い。
【考案を実施するための形態】
【００１２】
図１と図２は、それぞれ、本考案の外観概念図と本考案の使用状態概念図である。図のように、本考案に係る充／排気装置は、検知ユニット１とエア供給ユニット２から構成される。
【００１３】
当該検知ユニット１は、心拍センサー１１を有するスマートウォッチやスマートブレスレットである。
【００１４】
当該エア供給ユニット２は、充気モジュール２１と嚢本体２２を有し、当該充気モジュール２１が、当該嚢本体２２に連通されて、当該充気モジュール２１が、当該検知ユニット１の心拍センサー１１に電気接続され、また、当該嚢本体２２に、放置区域２２１が設けられる。
【００１５】
本考案によれば、使用者が、当該検知ユニット１を着用して、陰茎３を、当該嚢本体２２の放置区域２２１にセットすると、当該検知ユニット１の心拍センサー１１が、使用者の心拍律動に合わせて、当該エア供給ユニット２の充気モジュール２１を駆動し、当該充気モジュール２１が、当該嚢本体２２に対して、持続的に、充気や排気の作動を行い、例えば、心拍2回後、当該充気モジュール２１が、当該嚢本体２２に対して、充気してから排気し、或いは、心臓が圧縮する時、当該充気モジュール２１が、当該嚢本体２２に対して充気し、心臓が拡張する時、当該充気モジュール２１が、当該嚢本体２２を排気し、これにより、嚢本体２が、使用者の陰茎３に対してマッサージして、使用者が、自身の血液で、当該陰茎３に対して加圧して、当該陰茎３の末梢血管が流暢になり、当該陰茎３の生理機能を回復できる。
【００１６】
本考案のより良い具体実施例によれば、当該充気モジュール２１は、ポンプ２１１と受信器２１２とを有し、当該ポンプ２１１が当該嚢本体２２に連通され、当該受信器２１２が、有線か無線方式により当該検知ユニット１に電気接続される。これにより、当該検知ユニット１が、当該充気モジュール２１の受信器２１２に電気接続されて、検知ユニット１と当該エア供給ユニット２とが、ハンドシェイク通信を行い、当該心拍センサー１１が、使用者の心拍律動に合わせて当該エア供給ユニット２の充気モジュール２１を駆動して、当該充気モジュール２１が、ポンプ２１１で、持続的に、当該嚢本体２２に対して、充気と排気の作動を行い、これにより、嚢本体２が、使用者の陰茎３をマッサージし、使用者自身の血液で、当該陰茎３に加圧して、当該陰茎３の末梢血管が流暢になり、当該陰茎３の生理機能を回復できる。
【００１７】
本考案のより良い具体実施例によれば、当該嚢本体２２は、柔らかいプラスチック材料である。これにより、使用者が、当該陰茎３を当該嚢本体２２の放置区域２２１にセットすると、嚢本体２が、使用者の陰茎３をマッサージする時、より良い快適性が得られ、陰茎３に傷付くことを無くす。
【００１８】
本考案のより良い具体実施例によれば、当該エア供給ユニット２は、更にキャリア２３を有し、当該嚢本体２２が、当該キャリア２３の中に設置され、当該キャリア２３が、中空柱である。これにより、当該キャリア２３によって、当該嚢本体２２が、所定の形状に制限されるだけでなく、使用者が、手で当該キャリア２３を持つことが容易になり、当該陰茎３が、安定的に当該嚢本体２２の放置区域２２１に位置し、操作がより簡単になり、また、当該嚢本体によって、一分間で10〜160回の充／排気を行う。
【００１９】
以上のように、本考案に係る充／排気装置は、有効的に、従来の諸欠点を解消でき、使用者が、陰茎を嚢本体に設置し、検知ユニットが、使用者の心拍に合わせて、充気モジュールを駆動すると、充気モジュールが、嚢本体に対して、持続的に、充気と排気の作動を行うため、嚢本体で陰茎をマッサージし、使用者自身の血液で陰茎を加圧して、陰茎の末梢血管が流暢になって、陰茎の生理機能を回復でき、そのため、本考案は、より進歩的かつより実用的で、法に従って実用新案登録請求を出願する。
【００２０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２１】
【図１】本考案の外観概念図である。
【図２】本考案の使用状態概念図である。
【符号の説明】
【００２２】
１  検知ユニット
１１  心拍センサー
２  エア供給ユニット
２１  充気モジュール
２１１  ポンプ
２１２  受信器
２２  嚢本体
２２１  放置区域
２３  キャリア
３  陰茎
【図１】
0003229619.tif 000003
【図２】
0003229619.tif 000004